(57)【要約】【課題】ポイント（有価価値単位）の売り金額を基本金額に応じた適正な金額にすることが可能な売買仲介方法、売買仲介装置、コンピュータプログラム及び売買仲介システムを提供する。【解決手段】業者サーバ２４が管理する売買対象の有価価値単位の売り金額及び買い金額を利用者端末２２から受付けてハードディスク１３に記憶し、有価価値単位の売買を仲介する仲介サーバ１０において、ハードディスク１３には、売買対象の有価価値単位の基本金額が記憶されており、ハードディスク１３に記憶されている基本金額を、売買状況の変化に応じて変化させる。また、基本金額の変化に応じて、ハードディスク１３に記憶されている売り金額を変化させる。【選択図】        図１
2004295637.tif 000002
【特許請求の範囲】
【請求項１】
売買対象の有価価値単位の売り金額及び買い金額を売買仲介装置で受付けて記憶部に記憶し、有価価値単位の売買を仲介する売買仲介方法において、
前記記憶部には、売買対象の有価価値単位の基本金額が記憶されており、
前記記憶部に記憶されている基本金額を、売買状況の変化に応じて前記売買仲介装置で変化させるステップと、
基本金額の変化に応じて、前記記憶部に記憶されている売り金額を前記売買仲介装置で変化させるステップと
を有することを特徴とする売買仲介方法。
【請求項２】
売買対象の有価価値単位の売り金額及び買い金額を受付けて記憶部に記憶し、有価価値単位の売買を仲介する売買仲介装置において、
前記記憶部には、売買対象の有価価値単位の基本金額が記憶されており、
前記記憶部に記憶されている基本金額を、売買状況の変化に応じて変化させる基本金額変化手段と、
該基本金額変化手段による基本金額の変化に応じて、前記記憶部に記憶されている売り金額を変化させる売り金額変化手段と
を備えることを特徴とする売買仲介装置。
【請求項３】
コンピュータに、売買対象の有価価値単位の売り金額及び買い金額を受付けさせて所定記憶領域に記憶させ、有価価値単位の売買を仲介させるコンピュータプログラムにおいて、
前記所定記憶領域には、売買対象の有価価値単位の基本金額が記憶されており、
コンピュータに、前記所定記憶領域に記憶されている基本金額を、売買状況の変化に応じて変化させる手順と、
コンピュータに、基本金額の変化に応じて、前記所定記憶領域に記憶されている売り金額を変化させる手順と
を含むことを特徴とするコンピュータプログラム。
【請求項４】
前記売買対象の有価価値単位は、有価価値単位数に応じた交換商品が予め決められている有価価値単位であり、
コンピュータに、前記交換商品に関する交換商品情報を取得させる手順を含み、
前記基本金額を変化させる手順は、コンピュータに、売買状況及び取得した交換商品情報に応じて、前記所定記憶領域に記憶されている売り金額を変化させることを特徴とする請求項３記載のコンピュータプログラム。
【請求項５】
売買対象の有価価値単位の売り金額及び買い金額を受付け、有価価値単位の売買を仲介する売買仲介装置を備えた売買仲介システムにおいて、
売買対象の有価価値単位の売買状況を所定時間間隔で取得する取得手段、売買対象の有価価値単位の基本金額を記憶する記憶部、該記憶部に記憶されている基本金額を前記取得手段が取得した売買状況の変化に応じて変化させる基本金額変化手段を有し、変化後の基本金額を前記売買仲介装置に送信する基本金額送信装置を備え、
前記売買仲介装置は、
前記基本金額送信装置が送信した基本金額を受付ける受付手段と、
該受付手段が受付けた基本金額の変化に応じて、前記受付けた売り金額を変化させる売り金額変化手段と
を備えることを特徴とする売買仲介システム。
【発明の詳細な説明】
【０００１】
【発明の属する技術分野】
本発明は、売買対象のポイント（有価価値単位）の売り金額及び買い金額を受付け、ポイントの売買を仲介する売買仲介方法、売買仲介装置、コンピュータプログラム及び売買仲介システムに関する。
【０００２】
【従来の技術】
各種商品販売業者又は各種サービス提供業者の多くがポイント制度を導入している。ポイント制度は、自社商品を購入又はサービスを利用した顧客の情報を自社データベースに登録すると共に、購入金額又は利用サービス料に応じたポイント（有価価値単位）を顧客に提供している。顧客は、提供されたポイントを指定数単位で使用して、交換商品と交換したり、代金の割引きを受けることが可能である。例えば、各交換商品毎に交換に必要なポイント数が設定されている場合は、蓄積した指定数のポイントを対応する交換商品と交換することが可能である。また、例えば、１０００ポイント単位で、１０００円の割引きを受けること等が可能である。
【０００３】
ポイント数を指定数蓄積することにより、対応する交換商品又は割引き等を受けることが可能であるが、ポイント制度は、１社又はグループ会社などの閉じられた範囲で運用されているため、ポイントが有効に使用されない場合も多い。例えば、利用頻度の低い販売業者又はサービス業者が提供するポイントに関しては、前記指定数に達しないまま放置される可能性が高い。また、例えばポイントに有効期限が設定されている場合は、有効期限内に前記指定数に達しなかったポイントは無駄になる。使用されないポイントを有効に活用する方法として、ポイントの売り金額及び買い金額を受付けて、ポイントの売買を行うことが考えられている（例えば、特許文献１参照）。
【０００４】
【特許文献１】
特開２００３−３０７４８号公報
【０００５】
【発明が解決しようとする課題】
しかし、ポイントに金額を付けることは本来想定されておらず、また、ポイントに金額を付ける基準も曖昧である。そのため、ポイントを売買する際の売り金額又は買い金額を決定するのは難しく、また、売り金額が不当に低くなったり、買い金額が不当に高くなる可能性がある。
【０００６】
本発明は斯かる事情に鑑みてなされたものであり、ポイント（有価価値単位）の基本金額の変化に応じて売り金額を変化させることにより、ポイントの売り金額を基本金額に応じた適正な金額にすることが可能な売買仲介方法、売買仲介装置、コンピュータプログラム及び売買仲介システムを提供することを目的とする。
【０００７】
また、本発明は、売買状況及び交換商品情報に基づいて基本金額を変化させることにより、ポイントの価値（基本金額）を適正な値にすることが可能なコンピュータプログラムを提供することを他の目的とする。
【０００８】
【課題を解決するための手段】
第１発明に係る売買仲介方法は、売買対象の有価価値単位の売り金額及び買い金額を売買仲介装置で受付けて記憶部に記憶し、有価価値単位の売買を仲介する売買仲介方法において、前記記憶部には、売買対象の有価価値単位の基本金額が記憶されており、前記記憶部に記憶されている基本金額を、売買状況の変化に応じて前記売買仲介装置で変化させるステップと、基本金額の変化に応じて、前記記憶部に記憶されている売り金額を前記売買仲介装置で変化させるステップとを有することを特徴とする。
【０００９】
第２発明に係る売買仲介装置は、売買対象の有価価値単位の売り金額及び買い金額を受付けて記憶部に記憶し、有価価値単位の売買を仲介する売買仲介装置において、前記記憶部には、売買対象の有価価値単位の基本金額が記憶されており、前記記憶部に記憶されている基本金額を、売買状況の変化に応じて変化させる基本金額変化手段と、該基本金額変化手段による基本金額の変化に応じて、前記記憶部に記憶されている売り金額を変化させる売り金額変化手段とを備えることを特徴とする。
【００１０】
第３発明に係るコンピュータプログラムは、コンピュータに、売買対象の有価価値単位の売り金額及び買い金額を受付けさせて所定記憶領域に記憶させ、有価価値単位の売買を仲介させるコンピュータプログラムにおいて、前記所定記憶領域には、売買対象の有価価値単位の基本金額が記憶されており、コンピュータに、前記所定記憶領域に記憶されている基本金額を、売買状況の変化に応じて変化させる手順と、コンピュータに、基本金額の変化に応じて、前記所定記憶領域に記憶されている売り金額を変化させる手順とを含むことを特徴とする。
【００１１】
第４発明に係るコンピュータプログラムは、第３発明において、前記売買対象の有価価値単位は、有価価値単位数に応じた交換商品が予め決められている有価価値単位であり、コンピュータに、前記交換商品に関する交換商品情報を取得させる手順を含み、前記基本金額を変化させる手順は、コンピュータに、売買状況及び取得した交換商品情報に応じて、前記所定記憶領域に記憶されている売り金額を変化させることを特徴とする。
【００１２】
第５発明に係る売買仲介システムは、売買対象の有価価値単位の売り金額及び買い金額を受付け、有価価値単位の売買を仲介する売買仲介装置を備えた売買仲介システムにおいて、売買対象の有価価値単位の売買状況を所定時間間隔で取得する取得手段、売買対象の有価価値単位の基本金額を記憶する記憶部、該記憶部に記憶されている基本金額を前記取得手段が取得した売買状況の変化に応じて変化させる基本金額変化手段を有し、変化後の基本金額を前記売買仲介装置に送信する基本金額送信装置を備え、前記売買仲介装置は、前記基本金額送信装置が送信した基本金額を受付ける受付手段と、該受付手段が受付けた基本金額の変化に応じて、前記受付けた売り金額を変化させる売り金額変化手段とを備えることを特徴とする。
【００１３】
第１、第２、第３又は第５発明においては、売買対象の有価価値単位の売買状況に応じて基本金額を変化させ、基本金額の変化に応じて、受付けた売り金額を変化させる。例えば、売買仲介装置により、売買対象の有価価値単位の基本金額を売買状況に応じて変化させ、基本金額の変化に応じて、受付けた売り金額を変化させることが可能である。また、例えば基本金額送信装置により、売買対象の有価価値単位の基本金額を売買状況に応じて変化させ、変化後の基本金額を売買仲介装置に送信し、売買仲介装置により、基本金額送信装置から受信した基本金額の変化に応じて、受付けた売り金額を変化させることが可能である。売り金額は基本金額の変化に応じて変化するため、売り金額は基本金額に応じた金額となる。有価価値単位の売り金額を基本金額に応じた適正な金額にすることが可能である。
【００１４】
第４発明においては、売買対象の有価価値単位は、有価価値単位数に応じた交換商品が予め決められている。前記交換商品に関する交換商品情報を取得し、売買状況及び取得した交換商品情報に応じて、売買対象の有価価値単位の基本金額を変化させる。例えば、交換商品数が多いほど基本金額を高くしたり、売買成立数が多いほど基本金額を高くしたり、売り手よりも買い手の数が多いほど基本金額を高くしたり、有効期限が長いほど基本金額を高くすることが可能である。売買状況及び交換商品情報に基づいて基本金額を変化させることにより、有価価値単位の基本金額を適正な値にすることが可能である。
【００１５】
【発明の実施の形態】
以下、本発明をその実施の形態を示す図面に基づいて具体的に説明する。
図１に本発明に係る仲介サーバ（売買仲介装置）の例を示す。仲介サーバ１０は、ポイント（有価価値単位）の売買を仲介する売買仲介装置として機能し、インターネットなどの通信ネットワーク２０に接続されている。また、通信ネットワーク２０には、ポイントの売買を行う利用者が使用する利用者端末２２、及び、売買されるポイントを管理する業者サーバ２４が接続されている。
【００１６】
ポイントは、業者サーバを管理する販売業者又はサービス業者が、代金購入金額又は利用サービス料に応じて顧客に提供する有価価値単位（通貨ではない）であり、前記業者が指定した指定ポイント数と指定商品とを交換したり、前記業者が指定した指定ポイント数を指定金額の商品券代わりに使用することが可能である。業者サーバ２４には、ポイントを利用している顧客に関する顧客情報が記憶されている。顧客情報の例を図２に示す。顧客情報は、顧客に固有の顧客Ｎｏ（顧客番号）、顧客名、登録日、住所、電話番号、及び、顧客が所有するポイント数などの情報を含む。
【００１７】
仲介サーバ１０は、ＣＰＵ（Ｃｅｎｔｒａｌ  Ｐｒｏｃｅｓｓｉｎｇ  Ｕｎｉｔ）１１と、ＤＲＡＭ（Ｄｙｎａｍｉｃ  Ｒａｎｄｏｍ  Ａｃｃｅｓｓ  Ｍｅｍｏｒｙ）等のＲＡＭ１２と、ハードディスクドライブ（以下ハードディスクと略す）１３と、フレキシブルディスクドライブ又はＣＤ−ＲＯＭドライブ等の外部記憶部１４と、キーボード又はマウス等の入力部１５と、表示装置又はプリンタ等の出力部１６と、通信ネットワーク２０との通信制御を行う通信部１７とを備える。
【００１８】
ＣＰＵ１１は、上述した各部１２〜１７の制御を行う。また、ＣＰＵ１１は、入力部１５又は通信部１７から受付けたプログラム又はデータ、あるいはハードディスク１３又は外部記憶部１４から読出したプログラム又はデータ等をＲＡＭ１２に記憶し、ＲＡＭ１２に記憶したプログラムの実行又はデータの演算等の各種処理を行い、各種処理結果又は各種処理に用いる一時的なデータをＲＡＭ１２に記憶する。ＲＡＭ１２に記憶した演算結果等のデータは、ＣＰＵ１１により、ハードディスク１３に記憶されたり、出力部１６又は通信部１７から出力される。
【００１９】
ハードディスク（記憶部）１３には、ポイントの利用者に関する利用者情報、ポイントを管理する業者に関する業者情報、ポイントに関するポイント情報、各ポイントの１日毎の売買に関するポイント履歴情報、仲介サーバ１０が受付けた売りに関する売り情報、仲介サーバ１０が受付けた買いに関する買い情報、成立した売買に関する売買成立情報、及び、売買が成立した買い手に関する買い手情報などが記憶されている。
【００２０】
図３（ａ）及び（ｂ）に、利用者情報及び業者情報の例を示す。利用者情報は、ポイントを利用する利用者に固有の利用者Ｎｏ（利用者番号）、利用者名、利用者の認証に使用するパスワード、及び、利用者のメールアドレスなどを含む。業者情報は、ポイントを管理する業者に固有の業者Ｎｏ、業者名、業者の認証に使用するパスワード、及び、業者（業者サーバ２４）のアドレスなどを含む。
【００２１】
図４（ａ）及び（ｂ）に、ポイント情報及びポイント履歴情報の例を示す。ポイント情報は、ポイントに固有のポイントコード、ポイント名、ポイントを管理する業者Ｎｏ、業者名、ポイントと交換できる交換商品数、１日あたりの平均売りポイント数、１日あたりの平均買いポイント数、１日あたりの平均売買成立ポイント数、汎用性ランク、及び、評価額（基本金額）などを含む。汎用性ランクは、ポイントの利用機会を表しており、例えば業者の店舗数又は営業エリアが広いほど高ランクである。ポイント履歴情報は、ポイント別の情報であり、年月日、前記年月日の１日あたりの売りポイント数、前記年月日の１日あたりの買いポイント数、前記年月日の１日あたりの売買成立ポイント数、及び、前記年月日の評価額（基本金額）などを含む。
【００２２】
図５（ａ）及び（ｂ）に、売り情報及び買い情報の例を示す。売り情報は、各売りに固有の売り登録Ｎｏ、売り手の利用者Ｎｏ、売りたいポイントのポイントコード、売りポイント数、売りたいポイントの有効期限、１ポイントあたりの売り金額、及び、売り期間などを含む。買い情報は、各買いに固有の買い登録Ｎｏ、買い手の利用者Ｎｏ、買いたいポイントのポイントコード、買いポイント数、１ポイントあたりの買い金額、及び、買い期間などを含む。
【００２３】
図６（ａ）及び（ｂ）に、売買成立情報及び買い手情報の例を示す。売買成立情報は、成立した各売買に固有の売買成立Ｎｏ、売買が成立した成立年月日、売り手利用者Ｎｏ、買い手利用者Ｎｏ、売買が成立したポイントコード、売買ポイント数、及び、１ポイントあたりの金額などを含む。買い手情報は、売買が成立した買い手の利用者Ｎｏ、利用者名、買い年月日、買いが成立したポイントコード、ポイント名、及び、ポイント数などを含む。
【００２４】
ＣＰＵ１１は、売買対象のポイントの評価額を売買状況に応じて変化させる手段、及び、評価額の変化に応じて、売り金額を変化させる手段として動作する。売買対象のポイントは、ポイント数に応じた交換商品が予め決められており、ＣＰＵ１１は、交換商品に関する交換商品情報を取得する手段として動作し、売買状況及び取得した交換商品情報に応じて、売買対象のポイントの評価額を変化させる。本説明においては、ポイント情報の交換商品数が交換商品情報として機能している。
【００２５】
ＣＰＵ１１は、例えば交換商品数（ポイント情報に記憶）に応じた交換度などの交換商品に関する情報と、汎用性ランク（ポイント情報に記憶）などの業者に関する情報と、１日あたりの売りポイント数と買いポイント数（ポイント履歴情報に記憶）との差に応じた人気度、及び、１日あたりの売買成立ポイント数（ポイント履歴情報に記憶）に応じた流通度などの売買状況に関する情報の変化に基づいて、評価額（ポイント履歴情報に記憶）を変化させる。
【００２６】
図７（ａ）及び（ｂ）に流通度及び人気度の概略を示す。流通度は、売買成立ポイント数が多くなるほど大きくなる。また、人気度は、買いポイント数から売りポイント数を減算した値が大きいほど大きくなる。同様に、交換度は交換商品数が多くなるほど大きくなる。また、汎用性ランクは、例えばポイントを使用できるエリア及び店舗数などに基づく値（例えば１〜１０で、１０が最高ランク）であり、業者情報登録時にポイント情報に登録される。
【００２７】
図７（ａ）及び（ｂ）においては、説明のためグラフで示したが、上述した交換度、人気度、流通度及び評価額の算出式又は算出テーブルをハードディスク１３に記憶しておくことが可能である。また、ＣＰＵ１１は、例えば売り情報の有効期限と現日時とを比較し、有効期限から現日時を減算した差に基づいて、使用期限前の売り金額の減少予想を買い手に通知することが可能である。
【００２８】
ＣＤ−ＲＯＭ等の記録媒体１９に記録されたコンピュータプログラムを外部記憶部１４で読出してハードディスク１３又はＲＡＭ１２に記憶してＣＰＵ１１に実行させることにより、ＣＰＵ１１を上述した各手段として動作させることが可能である。また、通信部１７で他の装置からコンピュータプログラムを受付けてハードディスク１３又はＲＡＭ１２に記憶することも可能である。
【００２９】
次に、本発明に係る仲介サーバを用いたポイントの売買について説明する。ＣＰＵ１１は、１日毎に、売り情報、買い情報及び売買成立情報などに基づいて、ポイント履歴情報を更新する。また、ＣＰＵ１１は、例えば１日毎に、売買状況の変化に応じて評価額を変化させ、ポイント情報の評価額を変化後の評価額に更新する。また、更新した評価額はＲＡＭ１２に記憶しておく。同様に、ＣＰＵ１１は、所定期間毎（例えば１週間毎）に、ポイント履歴情報に基づいて、ポイント情報の平均売りポイント数、平均買いポイント数及び平均売買成立ポイント数を算出及び更新する。
【００３０】
図８に、売りの受付手順の例を示す。仲介サーバ１０は、利用者端末２２から送信された売り条件を通信部１７で受付ける（Ｓ１０）。受付けた売り条件は、ＣＰＵ１１の制御により、ＲＡＭ１２に記憶される。ＣＰＵ１１は、ＲＡＭ１２に記憶してある評価額と前記受付けた売り条件に含まれる売り金額との差を算出し、算出した差をＲＡＭ１２に記憶する。ＣＰＵ１１は、算出した差と、予めハードディスク１３に記憶されている制限値とを比較し、売り金額と評価額との差が制限値以下の場合（Ｓ１２：ＹＥＳ）、前記受付けた売り条件を売り情報に登録し（Ｓ１８）、処理を終了する。前記制限値は、例えば評価額の２０％などに設定することが可能である。
【００３１】
売り金額と評価額との差が制限値よりも大きい場合（Ｓ１２：ＮＯ）、ＣＰＵ１１の制御により、通信部１７から前記利用者端末２２に、再入力指示及び評価額を送信する（Ｓ１４）。再入力指示及び評価額を受取った利用者は、評価額を参考にして売り金額を再考することが可能である。前記利用者端末２２から送信された売り条件を通信部１７で再度受付けた場合（Ｓ１６：ＹＥＳ）、Ｓ１２に戻って同様の処理を行う。売り条件を再度受付けない場合（Ｓ１６：ＮＯ）は処理を終了する。
【００３２】
図９に、買いの受付手順の例を示す。買いの受付手順は、上述した売りの受付手順と同様であり、図９に示す各手順Ｓ２０，Ｓ２２，Ｓ２４，Ｓ２６及びＳ２８は、図８に示す各手順Ｓ１０，Ｓ１２，Ｓ１４，Ｓ１６及びＳ１８と同様である。
【００３３】
図１０に、売り金額の変更手順の例を示す。図１０では、売り情報に含まれる１つの売り条件（１つのレコード）を例にして説明を行う。ＣＰＵ１１の制御により、売り情報から売り条件を読出し（Ｓ３０）、ＲＡＭ１２に記憶する。また、ＣＰＵ１１により、ポイント履歴情報から昨日の評価額を読出してＲＡＭ１２に記憶する。また、ＲＡＭ１２には、今日決定された最新の評価額が記憶されている。ＣＰＵ１１は、最新の評価額に基づく今日の売り金額を決定し（Ｓ３２）、ＲＡＭ１２に記憶する。例えば、昨日の評価額に対する今日の評価額の変化率に基づいて、昨日の売り金額に対する今日の売り金額を算出（決定）することが可能である。
【００３４】
決定した売り金額は、ＣＰＵ１１の制御により、通信部１７から売り手の利用者端末２２に送信される（Ｓ３４）。例えば、売り情報のレコード（売り条件）に含まれる利用者Ｎｏに対応する利用者情報のメールアドレスをＣＰＵ１１で抽出し、抽出したメールアドレスに、前記決定した売り金額を送信することが可能である。
【００３５】
仲介サーバ１０から前記変更された売り金額を受取った利用者は、売り金額に納得できない場合は、売りを中止することが可能である。前記利用者端末２２から送信された売り中止指示を通信部１７で受付けた場合（Ｓ３６：ＹＥＳ）、ＣＰＵ１１の制御で前記売り条件を売り情報から削除し（Ｓ３８）、処理を終了する。
【００３６】
売り中止指示を受付けなかった場合（Ｓ３６：ＮＯ）、ＣＰＵ１１により、予めハードディスク１３に記憶されている所定時間（例えば２４時間）が経過するまで処理を中断する（Ｓ４０：ＮＯ）。前記所定時間が経過した場合（Ｓ４０：ＹＥＳ）、ＣＰＵ１１は現日時と売り条件（売り情報のレコード）の売り期間とを比較し、売り期間が終了している場合（Ｓ４２：ＹＥＳ）、処理を終了する。売り期間が終了していない場合（Ｓ４２：ＮＯ）、Ｓ３０に戻って同様の処理を行う。売り情報に含まれる各売り条件に対して、図１０に示した処理を行う。
【００３７】
図１１に、売買成立手順の例を示す。図１１では、買い情報に含まれる１つの買い条件（１つのレコード）を例にして説明を行う。ＣＰＵ１１の制御により、買い情報から買い条件を読出し（Ｓ５０）、ＲＡＭ１２に記憶する。ＣＰＵ１１は、前記読出した買い条件を満たす売り条件を売り情報から抽出してＲＡＭ１２に記憶する。前記読出した買い条件を満たす売り条件がある場合（Ｓ５２：ＹＥＳ）、前記抽出した買い条件を満たす売り情報を通信部１７から利用者端末２２に送信する（Ｓ５４）。例えば、買い情報のレコード（買い条件）に含まれる利用者Ｎｏに対応する利用者情報のメールアドレスをＣＰＵ１１で抽出し、抽出したメールアドレスに、前記条件を満たす売り条件を送信することが可能である。仲介サーバ１０から売り条件を受取った利用者は、売り条件に納得した場合、買いを指示することが可能である。
【００３８】
利用者端末２２から送信された買い指示を通信部１７で受付けた場合（Ｓ５６：ＹＥＳ）、ＣＰＵ１１は売買処理を行う（Ｓ５８）。例えば、ＣＰＵ１１によって、買い条件及び売り条件に対応する利用者のメールアドレスを利用者情報から夫々抽出し、抽出したメールアドレスに夫々通信部１７から売買成立通知を送信し、確認通知を夫々通信部１７で受付けることが可能である。確認通知を通信部１７で受付けた場合、ＣＰＵ１１は、売買成立金額の納付の確認を行い、売買が成立した売り情報及び買い情報のレコードに基づいて、成立した売買に関する情報を売買成立情報に登録する。ここで、売買成立金額の納付方法及び納付の確認方法は一般的なポイント売買と同様に行うことが可能である。
【００３９】
また、ＣＰＵ１１は、売買が成立した売り手に関する売り手情報を売り情報及び売買成立情報に基づいて作成してＲＡＭ１２に記憶し、また、売買が成立した買い手に関する買い手情報を買い手情報及び売買成立情報に基づいて作成してＲＡＭ１２に記憶する。ＣＰＵ１１は、売買が成立したポイントを管理する業者のアドレスを業者情報から抽出し、抽出したアドレスに対し、前記売り手情報及び買い手情報を通信部１７から送信する。
【００４０】
仲介サーバ１０から売り手情報及び買い手情報を受付けた業者サーバ２４は、受付けた売り手情報及び買い手情報に基づいて、売り手及び買い手に対応する顧客情報のポイント数を更新する。
【００４１】
買い指示を受付けなかった場合（Ｓ５６：ＮＯ）、又は、買い条件を満たす売り条件がない場合（Ｓ５２：ＮＯ）、ＣＰＵ１１により、予めハードディスク１３に記憶されている所定時間（例えば２４時間）が経過するまで処理を中断する（Ｓ６０：ＮＯ）。前記所定時間が経過した場合（Ｓ６０：ＹＥＳ）、ＣＰＵ１１は、現日時と買い条件（買い情報のレコード）の買い期間とを比較し、買い期間が終了している場合（Ｓ６２：ＹＥＳ）、処理を終了する。また、ＣＰＵ１１は、買い期間が終了していない場合（Ｓ６２：ＮＯ）、Ｓ５０に戻って同様の処理を行う。買い情報に含まれる各買い条件に対して、図１１に示した処理を行う。
【００４２】
ここで、評価額（基本金額）は各ポイント毎に決定されるため、評価額に基づいて、各ポイント間の変換レートを求めることが可能である。そのため、金額の代わりに他のポイントのポイント数を使用して、売買を行うことも可能である。
【００４３】
上述した実施の形態においては、仲介サーバ１０で評価額（基本金額）を決定したが、評価額を他の装置で決定することも可能である。図１２に、本発明に係る売買仲介システムの例を示す。売買仲介システムは、利用者端末２２及び業者サーバ２４が接続された通信ネットワーク２０に、仲介サーバ（売買仲介装置）３０が接続されている。また、仲介サーバ３０には、通信ネットワーク３６を介して評価額送信装置（基本金額送信装置）３２が接続されている。
【００４４】
評価額送信装置３２は、例えば図１に示す仲介サーバ１０と同様の構成のコンピュータであり、ＣＰＵを、売買対象のポイントの売買状況を所定時間間隔で取得する手段、ハードディスク（記憶部）の所定記憶領域に記憶してある売買対象のポイントの基本金額を前記取得した売買状況の変化に応じて変化させる手段、及び、変化後の基本金額を仲介サーバ３０に送信する手段として動作させることが可能である。また、仲介サーバ３０は、例えば図１に示す仲介サーバ１０と同様の構成のコンピュータであり、ＣＰＵを、評価額送信装置３２が送信した評価額を受付ける手段、及び、受付けた評価額の変化に応じて、受付けた売り金額を変化させる手段として動作させることが可能である。
【００４５】
また、上述した実施の形態においては、仲介サーバ１０に各種情報を記憶したが、各種情報を他の装置に記憶することも可能である。図１３に、本発明に係る売買仲介システムの例を示す。売買仲介システムは、利用者端末２２及び業者サーバ２４が接続された通信ネットワーク２０に、仲介サーバ３０が接続されている。また、仲介サーバ３０には、通信ネットワーク３６を介して評価額送信装置３２及び各種情報が記憶されるデータサーバ３４が接続されている。
【００４６】
（付記１）  売買対象の有価価値単位の売り金額及び買い金額を売買仲介装置で受付けて記憶部に記憶し、有価価値単位の売買を仲介する売買仲介方法において、
前記記憶部には、売買対象の有価価値単位の基本金額が記憶されており、
前記記憶部に記憶されている基本金額を、売買状況の変化に応じて前記売買仲介装置で変化させるステップと、
基本金額の変化に応じて、前記記憶部に記憶されている売り金額を前記売買仲介装置で変化させるステップと
を有することを特徴とする売買仲介方法。
（付記２）  売買対象の有価価値単位の売り金額及び買い金額を受付けて記憶部に記憶し、有価価値単位の売買を仲介する売買仲介装置において、
前記記憶部には、売買対象の有価価値単位の基本金額が記憶されており、
前記記憶部に記憶されている基本金額を、売買状況の変化に応じて変化させる基本金額変化手段と、
該基本金額変化手段による基本金額の変化に応じて、前記記憶部に記憶されている売り金額を変化させる売り金額変化手段と
を備えることを特徴とする売買仲介装置。
（付記３）  前記売買対象の有価価値単位は、有価価値単位数に応じた交換商品が予め決められている有価価値単位であり、
前記交換商品に関する交換商品情報を取得する取得手段を備え、
前記基本金額変化手段は、売買状況及び取得手段が取得した交換商品情報に応じて、前記記憶部に記憶されている基本金額を変化させるように構成されていることを特徴とする付記２記載の売買仲介装置。
（付記４）  コンピュータに、売買対象の有価価値単位の売り金額及び買い金額を受付けさせて所定記憶領域に記憶させ、有価価値単位の売買を仲介させるコンピュータプログラムにおいて、
前記所定記憶領域には、売買対象の有価価値単位の基本金額が記憶されており、
コンピュータに、前記所定記憶領域に記憶されている基本金額を、売買状況の変化に応じて変化させる手順と、
コンピュータに、基本金額の変化に応じて、前記所定記憶領域に記憶されている売り金額を変化させる手順と
を含むことを特徴とするコンピュータプログラム。
（付記５）  前記売買対象の有価価値単位は、有価価値単位数に応じた交換商品が予め決められている有価価値単位であり、
コンピュータに、前記交換商品に関する交換商品情報を取得させる手順を含み、
前記基本金額を変化させる手順は、コンピュータに、売買状況及び取得した交換商品情報に応じて、前記所定記憶領域に記憶されている売り金額を変化させることを特徴とする付記４記載のコンピュータプログラム。
（付記６）  売買対象の有価価値単位の売り金額及び買い金額を受付け、有価価値単位の売買を仲介する売買仲介装置を備えた売買仲介システムにおいて、
売買対象の有価価値単位の売買状況を所定時間間隔で取得する取得手段、売買対象の有価価値単位の基本金額を記憶する記憶部、該記憶部に記憶されている基本金額を前記取得手段が取得した売買状況の変化に応じて変化させる基本金額変化手段を有し、変化後の基本金額を前記売買仲介装置に送信する基本金額送信装置を備え、
前記売買仲介装置は、
前記基本金額送信装置が送信した基本金額を受付ける受付手段と、
該受付手段が受付けた基本金額の変化に応じて、前記受付けた売り金額を変化させる売り金額変化手段と
を備えることを特徴とする売買仲介システム。
（付記７）  コンピュータに、売買対象の有価価値単位の基本金額を所定記憶領域に記憶させる手順と、
コンピュータに、売買対象の有価価値単位の売買状況を所定時間間隔で取得させる手順と、
コンピュータに、売買対象の有価価値単位の基本金額を、前記取得した売買状況の変化に応じて変化させる手順と、
コンピュータに、変化後の基本金額を送信させる手順と
を含むことを特徴とするコンピュータプログラム。
（付記８）  売買対象の有価価値単位の売り金額及び買い金額をコンピュータに受付けさせ、有価価値単位の売買を仲介させるコンピュータプログラムにおいて、
コンピュータに、売買対象の有価価値単位の基本金額を所定時間間隔で受付けさせる手順と、
コンピュータに、受付けた基本額の変化に応じて、前記受付けた売り金額を変化させる手順と
を含むことを特徴とするコンピュータプログラム。
【００４７】
【発明の効果】
本発明によれば、売り金額を基本金額の変化に応じて変化させることにより、売り金額は基本金額に応じた金額となる。ポイントの売り金額を基本金額に応じた適正な金額にすることが可能である。また、売買状況及び交換商品情報に応じて基本金額を変化させることにより、基本金額を適正な値にすることが可能である。
【図面の簡単な説明】
【図１】本発明に係る仲介サーバ（売買仲介装置）の例を示すブロック図である。
【図２】顧客情報の例を示す図である。
【図３】（ａ）は利用者情報、（ｂ）は業者情報の例を示す図である。
【図４】（ａ）はポイント情報、（ｂ）はポイント履歴情報の例を示す図である。
【図５】（ａ）は売り情報、（ｂ）は買い情報の例を示す図である。
【図６】（ａ）は売買成立情報、（ｂ）は買い手情報の例を示す図である。
【図７】（ａ）は流通度、（ｂ）は人気度の概略を示す図である。
【図８】売りの受付手順の例を示すフローチャートである。
【図９】買いの受付手順の例を示すフローチャートである。
【図１０】売り金額の変更手順の例を示すフローチャートである。
【図１１】売買成立手順の例を示すフローチャートである。
【図１２】本発明に係る売買仲介システムの例を示すブロック図である。
【図１３】本発明に係る売買仲介システムの例を示すブロック図である。
【符号の説明】
１０  仲介サーバ
１１  ＣＰＵ
１３  ハードディスク
１４  外部記憶部
１７  通信部
１９  記録媒体
２０  通信ネットワーク
２２  利用者端末
２４  業者サーバ
３０  仲介サーバ
３２  評価額送信装置
３４  データサーバ
３６  通信ネットワーク
【図１】
2004295637.tif 000003
【図２】
2004295637.tif 000004
【図３】
2004295637.tif 000005
【図４】
2004295637.tif 000006
【図５】
2004295637.tif 000007
【図６】
2004295637.tif 000008
【図７】
2004295637.tif 000009
【図８】
2004295637.tif 000010
【図９】
2004295637.tif 000011
【図１０】
2004295637.tif 000012
【図１１】
2004295637.tif 000013
【図１２】
2004295637.tif 000014
【図１３】
2004295637.tif 000015